(57)【要約】【課題】住戸ごとに間取りや仕様・設備などを自由に選定できるフリープラン対応のマンションにおいて工期の短縮を図れるフリープラン対応配線システムを提供する。【解決手段】住戸内の所望の位置に複数の間仕切壁を配置し、ジョイントボックス３０を間仕切壁により区切られた各居室ごとに先行配線の核として天井材と二重天井材２ｂとの間の空間内に配設し、各居室ごとにジョイントボックス３０に配線Ｌ１を介して接続した配線器具（コンセント９１、スイッチ９２など）を間仕切壁の所望の位置に配設してある。ジョイントボックス３０は、吊ボルト２７の下端部が結合した吊金具であるブラケット１０に固定されている。ジョイントボックス３０は、二重天井材２ｂに穿孔された引掛ローゼット７０用の取付孔６の上方に配置してあり、取付孔６を点検窓として利用する。【選択図】      図１
2004357483.tif 000002
【特許請求の範囲】
【請求項１】
住戸内の所望の位置に間仕切壁を配置し、配線を接続可能な接続部を複数備えたジョイントボックスを間仕切壁により区切られた各居室ごとに先行配線の核として天井材と天井材よりも下の二重天井材との間の空間内に配設し、各居室ごとに核となるジョイントボックスに配線を介して接続した配線器具を間仕切壁の所望の位置に配設してなることを特徴とするフリープラン対応配線システム。
【請求項２】
前記ジョイントボックスは、二重天井材に穿孔した引掛ローゼット用の取付孔の上方に配設され、且つ、取付孔の上方への投影面内に収まる大きさに形成されてなることを特徴とする請求項１記載のフリープラン対応配線システム。
【請求項３】
前記ジョイントボックスは、前記接続部として、電源用の接続部およびスイッチ用の接続部およびコンセント用の接続部を備えるように内部回路が形成されてなることを特徴とする請求項１または請求項２記のフリープラン対応配線システム。
【発明の詳細な説明】
【０００１】
【発明の属する技術分野】
本発明は、マンションなどの集合住宅において住戸ごとに購入者が自由に間取りや配線器具の位置などを決めることが可能なフリープラン対応配線システムに関するものである。
【０００２】
【従来の技術】
一般的に、マンションなどの集合住宅の住戸で採用している配線システムでは、住戸内に配設する電灯、スイッチ、コンセントなどに接続される電力線や、電話、インターホン、テレビ共聴機器などに接続される通信線などの配線の殆どが二重天井内や間仕切壁内に敷設されている。
【０００３】
ここにおいて、この種の配線システムとしては、天井裏に配設されたジョイントボックスに接続された配線と間仕切壁に埋込配置された埋込型の配線器具（例えば、スイッチ、コンセントなど）に接続された配線とを接続するコネクタ装置を、間仕切壁の天井側端部に近い天井裏に配設したものがある（例えば、特許文献１参照）。なお、電力会社の規定する内線規定や、電気設備技術基準によれば、上述のようなジョイントボックスの近傍には点検窓を設ける必要がある。
【０００４】
【特許文献１】
特開平１１−３２４１７号公報（図１）
【０００５】
【発明が解決しようとする課題】
ところで、最近の新築のマンションなどにおいて、各住戸ごとに、購入者が間取りや仕様・設備を自由に選定できるフリープラン対応のものが増加している。
【０００６】
しかしながら、上述の特許文献１に記載の配線システムでは、延長配線ユニットを利用して１つのジョイントボックスから複数の居室へ配線を行うものであるから、様々な間取り、配線器具の位置に自在に対応するのが難しく、設計・工事に要する時間が長くコストが高くなってしまうという不具合があった。また、上記特許文献１に記載された配線システムでは、ジョイントボックスおよびコネクタ装置それぞれに点検窓を設ける必要があるので、室内の外観が損なわれてしまうことがあった。
【０００７】
本発明は上記事由に鑑みて為されたものであり、その目的は、住戸ごとに間取りや仕様・設備などを自由に選定できるフリープラン対応のマンションにおいて工期の短縮を図れるフリープラン対応配線システムを提供することにある。
【０００８】
【課題を解決するための手段】
請求項１の発明は、住戸内の所望の位置に間仕切壁を配置し、配線を接続可能な接続部を複数備えたジョイントボックスを間仕切壁により区切られた各居室ごとに先行配線の核として天井材と天井材よりも下の二重天井材との間の空間内に配設し、各居室ごとに核となるジョイントボックスに配線を介して接続した配線器具を間仕切壁の所望の位置に配設してなることを特徴とする。
【０００９】
この発明によれば、住戸ごとに間取りや仕様・設備などを自由に選定できるフリープラン対応のマンションにおいて、居室の広さや配線器具の位置によらず、配線設計および配線工事の標準化を図れ、設計・工期の短縮を図れる。
【００１０】
請求項２の発明は、請求項１の発明において、前記ジョイントボックスは、二重天井材に穿孔した引掛ローゼット用の取付孔の上方に配設され、且つ、取付孔の上方への投影面内に収まる大きさに形成されてなることを特徴とする。
【００１１】
この発明によれば、引掛ローゼット用の取付孔を点検窓として利用することができるので、別途に点検窓を設ける場合に比べて居室内の外観が損なわれるのを防止することができる。
【００１２】
請求項３の発明は、請求項１または請求項２の発明において、前記ジョイントボックスは、前記接続部として、電源用の接続部およびスイッチ用の接続部およびコンセント用の接続部を備えるように内部回路が形成されてなることを特徴とする。
【００１３】
この発明によれば、前記ジョイントボックスに対して前記配線器具としてスイッチ、コンセントなどを一括して配線することができる。
【００１４】
【発明の実施の形態】
本実施形態のフリープラン対応配線システムは、図２に示すように、住戸内の所望の位置に複数の間仕切壁３を配置し、ジョイントボックス３０を間仕切壁３により区切られた各居室ごとに先行配線の核として天井材２ａと天井材２ａよりも下の二重天井材２ｂとの間の空間内に配設し、各居室ごとにジョイントボックス３０に配線を介して接続した配線器具９を間仕切壁３の所望の位置に配設してある。すなわち、本実施形態のフリープラン対応配線システムでは、住戸の床材１と二重天井材２ｂとの間に介在する複数の間仕切壁３および間仕切壁３に取り付ける配線器具９などを当該住戸の購入者の希望に応じた所望の位置に配設してあり、例えば図１に示すようにコンセント９１やスイッチ９２などが配線Ｌ１を介して接続されるとともに電源が配線Ｌ０を介して接続されるジョイントボックス３０を居室ごとに天井裏へ配設してある。
【００１５】
なお、本実施形態のフリープラン対応配線システムの設計にあたっては、まず図３（ａ）に示すように住戸Ａ内の所望の位置に間仕切壁３を配置してから、図３（ｂ）に示すように間仕切壁３により区切られた各居室ごとに先行配線の核としてジョイントボックス３０を配設し、その後、各居室ごとにジョイントボックス３０を核として所望の位置に配線器具９をレイアウトしてジョイントボックス３０と配線器具９との間に介在する配線Ｂのレイアウトを決めればよい。
【００１６】
図１に示したジョイントボックス３０は、５分岐のジョイントボックスであって、図４および図５に示すように、直方体状の器体３０ａの長手方向の両側面にそれぞれ１つのコネクタ部３４が設けられるとともに、器体３０ａの幅方向の両側面に器体３０ａの長手方向に離間して各２つのコネクタ部３４が設けられている。すなわち、ジョイントボックス３０は、合計６つのコネクタ部３４を備えており、各コネクタ部３４は図６に示すように一対の接触子５５，５５を有するプラグ４０が着脱自在となっている。したがって、例えば図７に示すように、１つのコネクタ部３４に上記配線Ｌ０の一端に設けたプラグ４０を結合すれば、他の５つのコネクタ部３４を分岐用のコネクタ部３４として使用することができ、分岐用のコネクタ部３４に上記配線Ｌ１の一端に設けたプラグ４０を結合すればよい。なお、本実施形態では、コネクタ部３４が配線を接続可能な接続部を構成しおり、コネクタ部３４には図８に示すように比較的固い２本の電線をシースに入れたケーブル９４における２本の電線をフォーミングすることなく接続することができるようになっている。
【００１７】
ジョイントボックス３０の器体３０ａは、図９および図１０に示す合成樹脂製のボディ３１と図１１に示す合成樹脂製のカバー３２とを複数本（本実施形態では、６本）の組立ねじ３３により結合することによって形成されている。
【００１８】
また、ジョイントボックス３０には、図１２に示すように６つの端子片３５ａを短冊状の連結片３５ｂにより連続一体に連結した導電性材料からなる端子ブロック３５がボディ３１に２つ収納されており、各コネクタ部３４には、互いに異なる端子ブロック３５の端子片３５ａが１つずつ収納されて対をなしている。すなわち、ジョイントボックス３０は、コネクタ部３４ごとに一対の端子片３５ａが収納されている。なお、コネクタ部３４は、ボディ３１においてコネクタ部３４に対応する部分の内底面から突設された仕切壁３１ｆによって一対の端子片３５ａが収納される空間が仕切られている。
【００１９】
２つの端子ブロック３５は、対をなす端子片３５ａが両端子片３５ａの厚み方向において離間し且つ連結片３５ｂの厚み方向においても離間するように両連結片３５ｂ，３５ｂを厚み方向に重ねて配置するとともに、両連結片３５ｂの間に絶縁性材料（例えば、ＡＢＳ樹脂のような合成樹脂）からなる短冊状のスペーサ６０（図１３参照）を介在させてある。ここにおいて、ボディ３１の内底面には、カバー３２の上壁の下面から下方に突設された位置決め台３２ｄとの間に、２つの連結片３５ｂ，３５ｂおよび両連結片３５ｂ，３５ｂの間に介在するスペーサ６０を保持する保持基台３１ｄが突設されるとともに、保持基台３１ｄの上面から３つの位置合わせピン３１ｅが突設されており、各位置合わせピン３１ｅが各連結片３５ｂ，３５ｂそれぞれに３つずつ貫設した位置合わせ孔３５ｃおよびスペーサ６０に貫設した３つの位置合わせ孔６０ｂに挿入される。つまり、保持基板３１ｄと位置決め台３２ｄと３つの位置合わせピン３１ｅとによって、２つの端子ブロック３５と１つのスペーサ６０とが器体３０ａに対して位置決めされることになる。
【００２０】
また、コネクタ部３４は、当該コネクタ部３４に着脱自在に結合できる上述のプラグ４０に設けた一対の丸ピン状の接触子５５，５５を導入することができるように、前壁に一対の円形状の接触子挿入孔３６，３６が貫設されており、接触子挿入孔３６，３６を通して導入された接触子５５，５５を導入すると、端子片３５ａ，３５ａが撓んで接触子５５，５５に弾接し電気的に接続されるようになっている（図２５ないし図２７参照）。なお、端子ブロック３５は、板金を打ち抜き、曲げ加工を施すことにより形成されている。
【００２１】
上述のプラグ４０は、図１４に示すようにジョイントボックス３０の６つのコネクタ部３４に対して着脱自在に結合できるものであって、図１５に示す合成樹脂製（例えば、ＡＢＳ樹脂製）のボディ４１と図１６に示す合成樹脂製（例えば、ＡＢＳ樹脂製）のカバー４２とを複数本（本実施形態では、４本）の組立ねじ４３を用いて結合することにより形成した直方体状のハウジング４０ａを備えている。プラグ４０は、ハウジング４０ａの前面（長手方向の一端面）に開口窓４４（図２７参照）が形成され、開口窓４４に臨むようにハウジング４０ａ内に上述の一対の接触子５５，５５が配列されている。また、ハウジング４０ａの内部には、一対の接触子５５，５５間を隔絶する隔壁４１ｂが形成されている。なお、一対の接触子５５，５５は、一対の端子片３５ａ，３５ａに対応するようにハウジング４０ａの幅方向の両側で上下方向の位置をずらしてある。
【００２２】
また、ハウジング４０ａ内には、接触子５５を一体に備えた端子板４５（図１７参照）および接触子５５を一体に備えた端子板４６（図１８参照）が収納されている。ここに、各端子板４５，４６には、接触子５５，５５を固定するための固定片４５ｂ，４６ｂ（図１９，図２０参照）が延設され、接触子５５，５５は、図２１に示すように固定片４５ｂ，４６ｂに重ねて配置される結合片５５，５５ｂ（図２１参照）が長手方向における先端部とは反端側の基端部から延設されている。また、接触子５５，５５は、結合片５５，５５の厚み方向の一面に、固定片４５ｂ，４６ｂに穿孔した連結孔４５ｃ，４６ｃに挿入される連結突起５５ｃ，５５ｃが突設されており、連結突起５５ｃ，５５ｃを連結孔４５ｃ，４６ｃに挿入して連結突起５５ｃ，５５ｃの先端部をかしめることによって、端子板４５，４６に結合されることになる。端子板４５，４６は、ボディ４１に収納されており、ボディ４１の内部には端子板４５が収納される空間と端子板４６が収納される空間とを仕切る仕切壁４１ｂが形成されている。
【００２３】
また、端子板４５，４６には鎖錠ばね４７（図２５ないし図２７参照）が１個ずつ収納されている。鎖錠ばね４７は、帯状の板ばねの一端部をＳ字状に曲成して接触片４７ａを形成し、他端部をＪ字状に曲成して鎖錠片４７ｂを形成し、接触片４７ａと鎖錠片４７ｂとの間を接続片４７ｃにより連続一体に連結した形状に形成される。なお、接触片４７ａおよび鎖錠片４７ｂは接続片４７ｃに対して厚み方向の同じ側に突出する。
【００２４】
また、ハウジング４０ａの後壁（長手方向における開口窓４４とは反対側の端部）において各鎖錠ばね４７に対応する部位には電線挿入孔４８（図２６および図２７参照）が形成されており、電線挿入孔４８を通してハウジング４０ａの内部に電線を挿入することにより、電線の先端部が鎖錠ばね４７の鎖錠片４７ｂおよび接触片４７ａと端子板４５，４６との間に挟持されるようにしてある。ここに、鎖錠片４７ｂは接続片４７ｃの後端から斜め前方に向かって延設されており、つまりは、電線の挿入方向において接続片４７ｃから離れる向きに延設されており、電線挿入孔４８を通して挿入された電線は鎖錠片４７ｂの先端縁が食い込むことにより、電線に作用する引張力に抗するようになっている。ハウジング４０ａのカバー４２には、各端子板４５，４６それぞれに１個ずつ設けた２個の鎖錠ばね４７の鎖錠片４７ｂに跨るように配置した合成樹脂製（例えば、ＡＢＳ樹脂製）の解除釦４９（図２６および図２７参照）が収納されている。解除釦４９はカバー４２の上壁に穿孔した操作孔５０（図１６参照）を通してボディ４２の中に挿入されるマイナスドライバのような工具によって押圧可能であって、解除釦４９を工具で押圧すると鎖錠片４７ｂの先端が接続片４７ｃに近づく向きに撓み、電線を保持する力が低減するようになっている。つまり、解除釦４９を押圧した状態で電線を引き抜くことができるようにしてある。この種の端子の構成は速結端子として知られている。なお、解除釦４９は、図２２に示すような形状に形成されており、直方体状の釦本体４９の長手方向の両端部それぞれから鎖錠片４７ｂに当接する押込突起４９ｂ，４９ｂが突設されており、解除釦４９における釦本体４９ａの表面を工具で押圧すると、押込突起４９ｂによって鎖錠片４７ｂが押圧されて、鎖錠片４７ｂの先端が接続片４７ｃに近づく向きに撓むようになっている。また、解除釦４９の下端部には全周に亘って鍔部４９ｃが形成されており、解除釦４９がハウジング４０ａから抜けないようになっている。
【００２５】
ところで、プラグ４０はロック体５３（図２６および図２７参照）を備えたいわゆるハーネスプラグであって、ジョイントボックス３０のコネクタ部３４に接続したときにコネクタ部３４から外れないようにロックされる構造になっている。ここに、ロック体５３は、合成樹脂製（例えば、ポリプロピレン製）である。一方、ハウジング４０ａは、図１６に示したカバー４２の上面に、ロック体５３を収納する収納凹所４２ａが形成されており、収納凹所４２ａの内底面には、ロック体５３に設けられた後述のロック爪５３ｄを接触子５５，５５が収納された空間に望ませるための開口窓４２ｃおよびロック体５３に設けられた一対の結合爪５３ｃ，５３ｃがそれぞれ係合する２つの結合孔４２ｂ，４２ｂが形成されている。なお、ロック体５３の結合爪５３ｃ，５３ｃは、図２３および図２４に示すように短冊状のロック体本体５３ａの下面から延設された逆Ｌ字状の撓み片５３ｂ，５３ｂにおいてロック体本体５３ａに平行な部分の下面から突設されている。
【００２６】
ロック体５３は、ロック体本体５３ａの長手方向の一端部の下面にジョイントボックス３０との結合状態をロックするための上述のロック爪５３ｄが突設されており、ロック爪５３ｄをジョイントボックス３０のコネクタ部３４の上面に形成されたロック溝３２ｂに係止させることでロックするようになっている。なお、コネクタ部３４の上面にはロック溝３２ｂに直交する方向に走るガイド溝３２ｃが形成されており、プラグ４０のハウジング４０ａの内部にはガイド溝３２ｃにスライド自在に収納されるスライド突起４２ｄが突設されている。
【００２７】
一方、コネクタ部３４とプラグ４０との結合状態を解除する際には、ロック体本体５３ａの長手方向の他端部の上面を押圧することでロック溝３２ｂに対するロック爪５３ｄの係止状態を解除した状態でプラグ４０をコネクタ部３４から外せばよい。なお、ロック体本体５３ａの上記他端部の上面には、長手方向に直交する方向（幅方向）に走る複数の突条をロック体本体５３ａの長手方向に列設することにより滑り防止凹凸部５３ｅが形成されている。
【００２８】
ところで、上述の間仕切壁は、例えば２枚の矩形板状のパネル板の間に矩形枠状の枠体を介在して構成されるものであって、両パネル板と枠体との間に形成される内部空間を配線スペースとして用いるもので、上端部には天井裏に配線された電線を内部空間に垂下させるための電線導入用開口部（図示せず）を設けてある。また、間仕切壁３は、パネル板３ａの所望の位置に埋込型の配線器具（スイッチ、コンセントなど）を取り付けるための縦長の長方形状の取付孔７（図２８）が穿孔されている。
【００２９】
埋込型の配線器具用の取付枠を取付孔に取り付ける方法としては、従来から、いわゆる挟み金具や木ねじを用いる方法や、スイッチボックスを利用する方法などが知られているが、本実施形態では、図２９に示すように壁パネル３の取付孔７に装着する保持枠１００を用い、埋込型の配線器具を取着する取付枠１１０（図２９参照）に保持枠１００への取付手段を設けることによって、取付孔７への取付枠１１０の取り付けを容易にしている。
【００３０】
取付枠１１０は、一対の枠片１１１の上端部同士および下端部同士をそれぞれ横片１１２で連続一体に結合することによって、配線器具９０の前面を露出させる長方形状の窓孔１１０ａを中央部に備えた縦長の矩形枠状に形成されており、各横片１１２の中間部の後面には当該取付枠１１０を保持枠１００に取付けるための取付手段としての取付爪（図示せず）が後方へ突設されている。なお、取付枠１１０の各横片１１２の中間部には、矩形枠状のプレート枠１２１（図２９参照）を取り付けるためのプレートねじ（図示せず）が螺着されるプレートねじ孔１１６などを設けてある。ここに、取付枠１１０は、例えばＪＩＳ規格で規格化されている大角形連用配線器具の１連用の取付枠と同様に、１連用の取付枠に最大３個まで取り付けることができる単位寸法（いわゆる１個モジュール寸法）の配線器具を最大で３個まで取り付けることができるようになっているが、この種の構造については周知の構造なので図示および説明を省略する。
【００３１】
また、プレート枠１２１の前面側には図２９に示すように配線器具９０の前面を露出させる窓孔１２２ａを有しプレート枠１２１の前面を覆う合成樹脂製の化粧プレート１２２が着脱自在に取着できるようになっている。なお、プレート枠１２１には、上記プレートねじが挿通される一対のねじ挿通孔１２１ｂが形成されるとともに、化粧プレート１２２の後面から突設された複数本の係止片（図示せず）が挿入係止される複数のプレート係止孔１２１ｃが形成されている。  保持枠１００は、弾性を有する合成樹脂製であって、図３０に示すように、一対の側片１０１の上端部同士および下端部同士をそれぞれ横枠部１０２で連続一体に結合することによって長方形状の窓孔１００ａを中央部に備えた縦長の矩形枠状に形成されており、各横枠部１０２において窓孔１００ａに望む面に取付枠１１０の上記取付爪が係止される係止爪１０３が突設されている。また、保持枠１００は、各側片１０１の長手方向の中間部には、後端縁側を開放した断面Ｖ字状の切込溝１０１ａを設けることにより他の部位よりも前後方向の幅が狭い細幅部１０１ｂが形成されており、各側片１０１それぞれの細幅部１０１ｂを支点として各側片１０１を図２８に示すようにく字状に屈曲できるようになっている。
【００３２】
また、保持枠１００は、各横枠部１０２において係止爪１０３が突設された面とは反対側の面の後端部から、壁パネル３ａの後面側で取付孔７の周部に前面が当接するフランジ片１０４を突設し、各側片１０１の前端縁から、壁パネル３ａの前面側で取付孔７の周部に後面が当接する耳片１０５を側方へ延設してある。各側片１０１には、２つの耳片１０５が各側片１０１の長手方向に離間して設けられている。また、保持枠１００の各側片１０１において窓孔１００ａに望む面とは反対側の面の後端部からは、壁パネル３ａの後面側で取付孔７の周部に係止される固定爪１０６が突設されている。さらに、保持枠１００の各側片１０１には取付孔７の内周面に弾接する弾接片１０７が２つずつ設けられ、各フランジ片１０４における横枠部１０２の近傍にも取付孔７の内周面に弾接する弾接片１０８が２つずつ設けられている。
【００３３】
ところで、上述の保持枠１００を壁パネル３ａに取り付けるには、各側片１０１を図２８に示すようにく字状に屈曲させた状態で一方のフランジ片１０４を取付孔６に挿入して一方のフランジ片１０４を取付孔７の周縁に当接させ、両側片１０１を屈曲した状態から屈曲前の状態に戻して両フランジ片１０４および各固定爪１０６と各耳片１０５とで壁パネル３を保持するようにすればよい。ここに、保持枠１００に上述の弾接片１０７，１０８を設けていることにより、上下方向および左右方向への保持枠１００のがたつきを防止することができる。
【００３４】
したがって、上述の保持枠１００を利用すれば、壁面などの施工面に埋込型の配線器具の器体の一部を埋め込む形で施工する際に、施工面への取付枠１１０の取付作業が容易になるとともにスイッチボックスのような埋込ボックスが不要となって、施工作業の容易化および低コスト化を図れる。なお、本実施形態では、プレート枠１２１を取付枠１１０に上記プレートねじを用いて取り付けているが、プレート枠１２１への化粧プレート１２２の取付構造と同様に、プレート枠１２１の後面から複数本の係止片を突設し、取付枠１１０に各係止片が挿入係止される複数の係止孔を形成しておけば、上記プレートねじが不要となるから、ドライバなどの工具を用いずにプレート枠１２１を取付枠１１０へ取り付けることができ、しかも、上記プレートねじの緩むという不具合の発生もなくなる。
【００３５】
ところで、ジョイントボックス３０は、図１に示したように吊ボルト２７に結合されたブラケット１０に対して器体３０ａのボディ３１をカバー３２よりも上側として取り付けることができるようになっている。ここに、ブラケット１０は、図３１に示すように、矩形板状の基片１１と、基片１１の長手方向の両端縁から下方に延設され互いに対向する一対の脚片１２，１２とによりコ字状に形成されており、上述の吊ボルト２７が結合される結合部１５を基片１１の長手方向の中央部から上方へ突設してある。また、ブラケット１０の基片１１には、一対の引掛孔１４，１４が形成されている。引掛孔１４，１４は基片１１の中心を中心とする１つの円弧上に形成され、それぞれ弧状に形成されている。
【００３６】
一方、ジョイントボックス３０の器体３０ａにおけるボディ３１の下面には、それぞれ引掛孔１４，１４に引掛係止できる一対の引掛爪３９，３９が突設されている。ここにおいて、ジョイントボックス３０の器体３０ａから突出した引掛爪３９，３９は断面Ｌ字状に形成されており、ジョイントボックス３０をブラケット１０に取り付けるには、引掛爪３９，３９を基片１１の引掛孔１４，１４の幅広部１４ａ，１４ａから引掛孔１４，１４に挿入した後に、器体３０ａを右回りに回転させ、引掛爪３９，３９の横片３９ｂを引掛孔１４，１４の幅狭部１４ｂ，１４ｂの周縁に重複させることにより、ジョイントボックス３０がブラケット３０に機械的に結合される。逆に、ブラケット１０からジョイントボックス３０を取り外すには、引掛爪３９，３９が引掛孔１４，１４の幅広部１４ａ，１４ａに重なる位置まで器体３０ａを左回りに回転させ、器体３０ａを基片１１から離すことにより、引掛爪３９，３９を引掛孔１４，１４から脱出させればよい。なお、本実施形態では、ブラケット１０が天井材２ａと二重天井材２ｂとの間の空間に配置される吊金具を構成し、一対の引掛爪３９，３９が吊金具に固定する固定手段を構成している。
【００３７】
図１に示したジョイントボックス３０は、二重天井材２ｂに穿孔した引掛ローゼット７０用の取付孔６の上方に配設されており、１つのコネクタ部３４と引掛ローゼット７０とが配線Ｌ１を介して接続されている。ここにおいて、ジョイントボックス３０は、取付孔７の上方への投影面内に収まる大きさに形成されているので、引掛ローゼット７０用の取付孔６をジョイントボックス３０の配置に伴って必要となる点検窓として利用することができるので、別途に点検窓を設ける場合に比べて居室内の外観が損なわれるのを防止することができる。
【００３８】
また、上述のジョイントボックス３０の器体３０ａは、カバー３２をボディ３１よりも上側として図３２ないし図３６に示すブラケット１０へ２本の取付ねじ１７，１７を用いて取り付けることができるようになっている。ここに、図３２ないし図３５に示したブラケット１０は、図３１に示したブラケット１０と同様にコ字状に形成されており、基片１１には上述の引掛孔１４，１４の代わりに、取付ねじ１７，１７を挿通するねじ挿通孔１１ａ，１１ａ（図３３、図３５参照）が形成されている。一方、ジョイントボックス３０の器体３０ａにおけるカバー３２の上壁および上記位置決め台３２ｄには取付ねじ１７，１７が螺合するねじ孔３２ｅが形成されている（図１１参照）。したがって、ブラケット１０にジョイントボックス３０を取り付けるには、基片１１の上側からねじ挿通孔１１ａ，１１ａを通した取付ねじ１７，１７をジョイントボックス３０の器体３０ａのねじ孔３２ｅに螺合させればよい。
【００３９】
また、ブラケット１０の各脚片１２，１２の下端縁からは互いに内側方に受け片１３，１３が延設されており、各受け片１３，１３には、図３４に示すように二重天井材２ｂの下面側に照明器具用の引掛シーリング２９などを取り付ける際に用いる固定ねじ１８，１８の先端部が螺合できるねじ孔１３ａ，１３ａが形成されている。なお、図３３および図３４は、天井材２ａに接着剤を用いて固定される円板状のシーリングユニット２４を利用して施工する例を示してあり、吊ボルト２７の上端部がシーリングユニット２４の中央部に設けられたボルト固定部２４ａに結合される形で施工され、図３５および図３６は、天井材２ａに埋め込んだアンカーボルト２６を利用して施工する例を示してあり、吊ボルト２７の上端部がアンカーボルト２６に結合する形で施工される。なお、図３３ないし図３７における５は下面が開口された有底円筒状の保護カバーであって、複数の配線挿通孔５ｂを設けることで配線の出し入れが可能となっている。
【００４０】
ところで、本実施形態のジョイントボックス３０の器体３０ａのカバー３２の上壁には、別のジョイントボックス３０の一対の引掛爪３９，３９がそれぞれ引掛係止される弧状の一対の引掛孔３７ｂ，３７ｂが形成され、カバー３２の短手方向の両側壁には引掛孔３７，３７ｂに連続したＬ字状の引掛爪導入孔３７ａが１つずつ形成されている。このため、図３７および図３８に示すように２つのジョイントボックス３０を上下方向に重ねて結合することができる。すなわち、２つのジョイントボックス３０を結合するには、一方のジョイントボックス３０の一対の引掛爪３９，３９を他方のジョイントボックス３０の引掛爪導入孔３７ａ，３７ａから器体３０ａ内に導入し、引掛爪３９，３９の横片３９ｂ，３９ｂが引掛孔３７ｂ，３７ｂの周縁に係止されるようにジョイントボックス３０を回転させればよい。ここに、居室ごとの仕様・設備に応じて別のジョイントボックス３０を結合することで、ジョイントボックス３０の品種を少なくすることができる。なお、本実施形態では、ジョイントボックス３０における一対の引掛爪３９，３９、あるいは、一対の引掛孔３７ｂ，３７ｂおよび一対の引掛爪導入孔３７ａ，３７ａが別のジョイントボックス３０を重ねて着脱自在に結合する結合手段を構成している。
【００４１】
以上説明した本実施形態のフリープラン対応配線システムでは、住戸Ａ内の所望の位置に間仕切壁３を配置し、配線を接続可能なコネクタ部３４を複数備えたジョイントボックス３０を間仕切壁３により区切られた各居室ごとに先行配線の核として天井材２ａと二重天井材２ｂとの間の空間内に配設し、各居室ごとに核となるジョイントボックス３０に配線を介して接続した配線器具９を間仕切壁３の所望の位置に配設したものであり、住戸Ａごとに間取りや仕様・設備などを自由に選定できるフリープラン対応のマンションにおいて、居室の広さや配線器具９の位置によらず、配線設計および配線工事の標準化を図れ、設計・工期の短縮を図れる。また、ジョイントボックス３０の複数のコネクタ部３４として、電源用のコネクタ部３４およびスイッチ用のコネクタ部３４およびコンセント用のコネクタ部３４を備えるようにジョイントボックス３０の内部回路を形成しておくことにより、ジョイントボックス３０に対して配線器具９としてスイッチ、コンセントなどを一括して配線することができる。このようにジョイントボックス３０の内部にあらかじめ複数の回路を形成している場合には、コネクタ部３４を回路毎に色分けしておくことにより、配線の誤結線を防止することができる。
【００４２】
なお、本実施形態のフリープラン対応配線システムでは、図４および図５に示すような形状のジョイントボックス３０を用いているが、住宅Ａ内のジョイントボックスの設置場所によっては図３９ないし図４４に示すような外周形状が円形状に形成されたスイッチ回路用のジョイントボックス１３０を用いることも考えられる。このようなジョイントボックス１３０は、コ字状のジョイントボックス固定台１５０に一対の固定ねじ１５２，１５２を用いて固定することができ、吊ボルト２７の下端部が結合した引掛ローゼット固定用吊金具２１に上記固定ねじ１５２，１５２を用いて結合できるようになっている。なお、図３９に示した例では、ジョイントボックス１３０には、コネクタ付きダウンライト（以下、ダウンライトと略称する）７３および引掛ローゼット７０がそれぞれ配線Ｌ１を介して接続されている。ここに、ジョイントボックス１３０とダウンライト７３との間に介在する配線Ｌ１の一端にはジョイントボックス１３０のコネクタ部に着脱自在なコネクタ１４０が設けられ、他端にはダウンライト７３のコネクタに着脱自在なコネクタ１４１が設けられている。また、図４１に示した例では、ジョイントボックス１３０には、複数のダウンライト７３および複数の３路スイッチがそれぞれ配線Ｌ１を介して接続されている（破線で示した配線Ｌ１は送り配線を示している）。ここに、ジョイントボックス１３０の下方に引掛ローゼット用の取付孔が設けられていない場合には、二重天井材２ｂに点検窓を設ける必要がある。また、図４２に示した例では、ジョイントボックス１３０には和室などの天井に配置される引掛シーリング７１に一端が接続された配線の他端に設けたコネクタ１４０が結合されており、ジョイントボックス１３０の下方で二重天井材２ｂに穿孔した円形状の点検窓１６０を二重天井材２ｂに着脱自在な円板状の保護キャップ８０によって閉塞するようになっている。また、図４３に示した例では、ジョイントボックス１３０には台所などの天井に配置される直付け照明器具７２に一端が接続された配線の他端に設けたコネクタ１４０が結合されており、ジョイントボックス１３０の下方で二重天井材２ｂに穿孔した円形状の点検窓１６０を二重天井材２ｂに着脱自在な円板状の保護キャップ８０によって閉塞するようになっている。
【００４３】
【発明の効果】
請求項１の発明では、住戸ごとに間取りや仕様・設備などを自由に選定できるフリープラン対応のマンションにおいて、居室の広さや配線器具の位置によらず、配線設計および配線工事の標準化を図れ、設計・工期の短縮を図れるという効果がある。
【００４４】
請求項２の発明では、引掛ローゼット用の取付孔を点検窓として利用することができるので、別途に点検窓を設ける場合に比べて居室内の外観が損なわれるのを防止することができるという効果がある。
【００４５】
請求項３の発明では、前記ジョイントボックスに対して前記配線器具としてスイッチ、コンセントなどを一括して配線することができるという効果がある。
【図面の簡単な説明】
【図１】実施形態のフリープラン対応配線システムの要部説明図である。
【図２】同上の概略構成図である。
【図３】同上の設計手順の説明図である。
【図４】同上に用いるジョイントボックスの斜視図である。
【図５】同上に用いるジョイントボックスの器体を示し、（ａ）は平面図、（ｂ）は背面図、（ｃ）は左側面図、（ｄ）は右側面図、（ｅ）は正面図、（ｆ）は下面図、（ｇ）は（ａ）の断面図である。
【図６】同上に用いるジョイントボックスおよびプラグの説明図である。
【図７】同上の要部説明図である。
【図８】同上の要部説明図である。
【図９】同上に用いるジョイントボックスの器体におけるボディを示し、（ａ）は平面図、（ｂ）は背面図、（ｃ）は左側面図、（ｄ）は右側面図、（ｅ）は下面図、（ｆ）は正面図である。
【図１０】同上に用いるジョイントボックスの器体におけるボディを示し、（ａ）は図９（ａ）のＡ−Ａ断面図、（ｂ）は図９（ａ）のＢ−Ｂ断面図、（ｃ）は図９（ａ）のＣ−Ｃ断面図である。
【図１１】同上に用いるジョイントボックスの器体におけるカバーを示し、（ａ）は平面図、（ｂ）は背面図、（ｃ）は左側面図、（ｄ）は右側面図、（ｅ）は下面図、（ｆ）は正面図、（ｇ）は（ａ）のＢ−Ｂ断面図、（ｈ）は（ａ）のＡ−Ａ断面図である。
【図１２】同上に用いるジョイントボックスにおける端子ブロックを示し、（ａ）は平面図、（ｂ）は正面図、（ｃ）は右側面図である。
【図１３】同上に用いるジョイントボックスにおけるスペーサを示し、（ａ）は平面図、（ｂ）は正面図である。
【図１４】同上に用いるジョイントボックスのコネクタ部にプラグを結合した状態を示し、（ａ）は平面図、（ｂ）は背面図、（ｃ）は左側面図、（ｄ）は右側面図、（ｅ）は正面図である。
【図１５】同上に用いるプラグのハウジングにおけるボディを示し、（ａ）は平面図、（ｂ）は背面図、（ｃ）は左側面図、（ｄ）は右側面図、（ｅ）は下面図、（ｆ）は正面図、（ｇ）は（ａ）のＡ−Ａ断面図、（ｈ）は（ａ）はＣ−Ｃ断面図、（ｉ）は（ａ）のＢ−Ｂ断面図である。
【図１６】同上に用いるプラグのハウジングにおけるカバーを示し、（ａ）は平面図、（ｂ）は背面図、（ｃ）は左側面図、（ｄ）は右側面図、（ｅ）は下面図、（ｆ）は正面図、（ｇ）は（ａ）のＡ−Ａ断面図である。
【図１７】同上に用いるプラグにおける一方の接触子付きの端子板を示し、（ａ）は平面図、（ｂ）は正面図である。
【図１８】同上に用いるプラグにおける他方の接触子付きの端子板を示し、（ａ）は平面図、（ｂ）は正面図である。
【図１９】同上に用いるプラグにおける一方の端子板を示し、（ａ）は平面図、（ｂ）は背面図、（ｃ）は正面図、（ｄ）は左側面図である。
【図２０】同上に用いるプラグにおける他方の端子板を示し、（ａ）は平面図、（ｂ）は背面図、（ｃ）は正面図、（ｄ）は左側面図である。
【図２１】同上に用いるプラグにおける接触子を示し、（ａ）は平面図、（ｂ）は正面図、（ｃ）は左側面図である。
【図２２】同上に用いるプラグにおける解除釦を示し、（ａ）は平面図、（ｂ）は右側面図、（ｃ）は下面図、（ｄ）は正面図である。
【図２３】同上に用いるプラグにおけるロック体を示し、（ａ）は平面図、（ｂ）は右側面図、（ｃ）は下面図である。
【図２４】同上に用いるプラグにおけるロック体の正面図である。
【図２５】同上に用いるジョイントボックスおよびプラグの要部を説明する平面図である。
【図２６】同上に用いるジョイントボックスおよびプラグの要部を説明する断面図である。
【図２７】同上に用いるジョイントボックスおよびプラグの要部を説明する断面図である。
【図２８】同上に用いる保持枠の説明図である。
【図２９】同上の要部説明図である。
【図３０】同上に用いる保持枠を示し、（ａ）は正面図、（ｂ）は（ａ）のＡ−Ａ断面図、（ｃ）は右側面図、（ｄ）は平面図、（ｅ）は背面図、（ｆ）は（ａ）のＢ−Ｂ断面図である。
【図３１】同上に用いるブラケットを示し、（ａ）は平面図、（ｂ）は正面図、（ｃ）は左側面図である。
【図３２】同上のジョイントボックスの使用形態を説明する平面図である。
【図３３】同上の要部説明図である。
【図３４】同上の要部説明図である。
【図３５】同上の要部説明図である。
【図３６】同上の要部説明図である。
【図３７】同上に用いるジョイントボックスを重ねて結合した状態の正面図である。
【図３８】同上に用いるジョイントボックスを重ねて結合した状態の側面図である。
【図３９】同上の参考例の説明図である。
【図４０】同上の参考例の説明図である。
【図４１】同上の参考例の説明図である。
【図４２】同上の参考例の説明図である。
【図４３】同上の参考例の説明図である。
【符号の説明】
１  床材
２ａ  天井材
２ｂ  二重天井材
３  間仕切壁
６  取付孔
７  取付孔
１０  ブラケット
１１  基片
１２  脚片
１４  引掛孔
１４ａ  幅広部
１４ｂ  幅狭部
２７  吊ボルト
３０  ジョイントボックス
３０ａ  器体
３４  コネクタ部
３９  引掛爪
４０  プラグ
４０ａ  ハウジング
５５  接触子
７０  引掛ローゼット
９１  コンセント
９２  スイッチ
１００  保持枠
１１０  取付枠
Ｌ０  配線
Ｌ１  配線
【図１】
2004357483.tif 000003
【図２】
2004357483.tif 000004
【図３】
2004357483.tif 000005
【図４】
2004357483.tif 000006
【図５】
2004357483.tif 000007
【図６】
2004357483.tif 000008
【図７】
2004357483.tif 000009
【図８】
2004357483.tif 000010
【図９】
2004357483.tif 000011
【図１０】
2004357483.tif 000012
【図１１】
2004357483.tif 000013
【図１２】
2004357483.tif 000014
【図１３】
2004357483.tif 000015
【図１４】
2004357483.tif 000016
【図１５】
2004357483.tif 000017
【図１６】
2004357483.tif 000018
【図１７】
2004357483.tif 000019
【図１８】
2004357483.tif 000020
【図１９】
2004357483.tif 000021
【図２０】
2004357483.tif 000022
【図２１】
2004357483.tif 000023
【図２２】
2004357483.tif 000024
【図２３】
2004357483.tif 000025
【図２４】
2004357483.tif 000026
【図２５】
2004357483.tif 000027
【図２６】
2004357483.tif 000028
【図２７】
2004357483.tif 000029
【図２８】
2004357483.tif 000030
【図２９】
2004357483.tif 000031
【図３０】
2004357483.tif 000032
【図３１】
2004357483.tif 000033
【図３２】
2004357483.tif 000034
【図３３】
2004357483.tif 000035
【図３４】
2004357483.tif 000036
【図３５】
2004357483.tif 000037
【図３６】
2004357483.tif 000038
【図３７】
2004357483.tif 000039
【図３８】
2004357483.tif 000040
【図３９】
2004357483.tif 000041
【図４０】
2004357483.tif 000042
【図４１】
2004357483.tif 000043
【図４２】
2004357483.tif 000044
【図４３】
2004357483.tif 000045